(57)【特許請求の範囲】
【請求項１】
制御ライン及び映像信号ラインが含まれるケーブルが接続される端子を備え、当該端子の制御ライン用端子部が信号種別判断部に接続されるように構成された映像信号入力装置において、前記信号種別判断部は、制御ライン用端子部にケーブルが接続されているか否かを信号種別判断部に入力される電圧値に基づいて判断すると共に、制御ライン用端子部にケーブルが接続されている場合は利用者の操作による映像モード変更処理を受け付けず、制御ライン用端子部にケーブルが接続されていない場合は利用者の操作による映像モード変更処理を受け付けることを特徴とする映像信号入力装置。
【発明の詳細な説明】
【０００１】
この発明は、カラーテレビジョン受信機等の映像信号入力装置に関する。
【０００２】
【従来の技術】
近年、カラーテレビジョン受像機においては、ＢＳディジタル放送をより高画質で楽しむためのＹＣｂＣｒのコンポーネント入力やＤ端子入力を備えているものがある。また、ＢＳディジタルチューナのセットトップボックス（ＳＴＢ）やＤＶＤプレイヤ、ゲーム機などもＹＣｂＣｒのコンポーネント出力やＤ端子出力を持つものが多くなっている。Ｄ端子出力は、図７に示すように、１４のピンを有し、各ピンは図において示すごとく規定されている。
【０００３】
ここで、図４（ａ）に示すようにテレビ２１側がＤ端子２２しか持たずに、出力側がＹＣｂＣｒ出力端子３１しか持たない場合は、ＹＣｂＣｒ出力端子３１をＤ端子２２用に変換するケーブル３３を使用して接続することになる。このとき、Ｄ端子２２のＬＩＮＥ１（走査線数）、ＬＩＮＥ２（ｉ／ｐ）、及びＬＩＮＥ３（アスペクト比）の制御ラインは、元々のＹＣｂＣｒ出力側にはないため、オープンな状態とされる。
【０００４】
【発明が解決しようとする課題】
制御ライン（ＬＩＮＥ１、ＬＩＮＥ２、ＬＩＮＥ３）の仕様を図５に示す。この図から分かるように、制御ラインには３種類の電圧（５Ｖ，２．５Ｖ，０Ｖ）が印加されることになり、この電圧値によってテレビ２１側へ情報が伝えられることになる。前述のごとく、制御ラインがオープンな状態とされるときには、いずれのラインについても、テレビ２１側では「０Ｖ」と認識する。
【０００５】
このため、テレビ２１側では伝送されてくる映像信号を４８０ｉの４：３放送であると認識することになり、画面サイズや映像フォーマットがその状態で固定されてしまう。例えば、送りの信号内容が１６：９（ＬＩＮＥ３では「５Ｖ」に相当）であっても、テレビ２１側では４：３としか認識できず、このため、図６（ａ）に示すように、縦伸びした映像画面となる。ここで、一度目においては検出された制御情報で画面サイズや映像フォーマットを制御し、その後は利用者による画面サイズの切替などを有効とすることも考えられるが（図６（ａ）の矢印側参照）、その場合は本来の制御信号が有効な場合にも画面サイズなどの変更ができることになり制御信号が活かされないことになってしまい、利用者が誤った画面サイズなどで視聴してしまう可能性がある。なお、図４（ｂ）のごとくＤ端子３２にＤ端子用ケーブル３４を用いてテレビ２１側のＤ端子に接続すれば、図６（ｂ）のごとく、規定のサイズで映像出力がなされることになる。
【０００６】
また、走査線数やｉ（インタレース）／ｐ（プログレッシブ）については水平／垂直周波数を自動選別し、アスペクト比は画面サイズ内容から識別する特別な処理を用いて判別することも可能であるが、回路規模が大きくなりコスト的に現実的とは言えない。
【０００７】
この発明は、上記の事情に鑑み、正規のＬＩＮＥ情報に影響を与えず、例えばＹＣｂＣｒをＤ端子に変換したような制御信号を含まなくなる状態を識別し、それぞれに応じた最適なモード切替を行うことができる映像信号入力装置を提供することを目的とする。
【０００８】
【課題を解決するための手段】
この発明の映像信号入力装置は、上記の課題を解決するために、制御ライン及び映像信号ラインが含まれるケーブルが接続される端子を備え、当該端子の制御ライン用端子部が信号種別判断部に接続されるように構成された映像信号入力装置において、前記信号種別判断部は、制御ライン用端子部にケーブルが接続されているか否かを信号種別判断部に入力される電圧値に基づいて判断すると共に、制御ライン用端子部にケーブルが接続されている場合は利用者の操作による映像モード変更処理を受け付けず、制御ライン用端子部にケーブルが接続されていない場合は利用者の操作による映像モード変更処理を受け付けることを特徴とする。
【００１２】
【発明の実施の形態】
以下、この発明の実施形態の映像信号入力装置を図１乃至図３に基づいて説明する。
【００１３】
図１はＤ端子２を備えて成る映像信号入力装置１と映像信号出力側との接続状態を示した図であって、同図（ａ）は映像信号出力側ではＹＣｂＣｒ出力端子１１しか持たないために変換ケーブル１２を用いて前記Ｄ端子２に接続した場合を示し、同図（ｂ）は映像信号出力側がＤ端子１３を備え、Ｄ端子ケーブル１４を用いて前記Ｄ端子２に接続した場合を示している。
【００１４】
Ｄ端子２には、ＬＩＮＥ１（走査線数）、ＬＩＮＥ２（ｉ／ｐ）、及びＬＩＮＥ３（アスペクト比）の各制御ラインが存在しており、この実施形態では、ＬＩＮＥ２及びＬＩＮＥ３はそのままＣＰＵ（信号種別判断部）３に接続され、ＬＩＮＥ１は電圧発生回路４を介してＣＰＵ３に接続されている。
【００１５】
電圧発生回路４におけるＮＰＮ型のトランジスタＴｒは、そのコレクタ側にＶｃｃ（９Ｖ）が印加され、エミッタ側は抵抗Ｒ２を介して接地され、ベースがＤ端子２のＬＩＮＥ１に接続されている。また、前記ベースは抵抗Ｒ１を介して前記Ｖｃｃに接続されている。トランジスタＴｒにおける前記エミッタと前記抵抗Ｒ２の接続点が出力部を成しており、この出力部がＣＰＵ３に接続されている。また、この出力部にはツェナーダイオードＺＤが接続されている。このツェナーダイオードＺＤはＣＰＵ３にその最大定格電圧（５Ｖ）を越える電圧が印加されないように電圧制限を行なう。
【００１６】
図１（ａ）に示したごとく、ＹＣｂＣｒ出力端子１１が変換ケーブル１２にてＤ端子２に接続される場合には、ＬＩＮＥ１はオープン状態（ハイインピーダンス状態）となるから、トランジスタＴｒのベースにおいては、Ｖｃｃが抵抗Ｒ１を介して印加されることになり、出力部にはベース印加電圧からトランジスタＴｒの起動電圧分（ＶBE）だけ降下した電圧が発生し、これが５Ｖを越えるときでも、ツェナーダイオードＺＤにて５Ｖに制限されてＣＰＵ３に与えられる。すなわち、ＣＰＵ３はＬＩＮＥ１用の端子に５Ｖを受けたときには、映像出力側はＤ端子ではないと判断すればよいことになる。
【００１７】
図１（ｂ）に示したごとく、Ｄ端子１３がＤ端子ケーブル１４にてＤ端子２に接続される場合には、ＬＩＮＥ１の電圧がトランジスタＴｒのベースに印加されることになる。ここで、ＬＩＮＥ１の電圧が５Ｖ（走査線数１０８０）であるとすると、電圧発生回路４の出力部には、ベース印加電圧５ＶからトランジスタＴｒの起動電圧分（ＶBE）の０．６Ｖが降下した電圧（４．４Ｖ）が発生する。従って、ＣＰＵ３はＬＩＮＥ１用の端子に４．４Ｖを受けたときには、走査線数１０８０であると判断すればよいことになる。
【００１８】
また、ＬＩＮＥ１の電圧が２．２Ｖ（走査線数７２０）であるとすると、電圧発生回路４の出力部には、ベース印加電圧５ＶからトランジスタＴｒの起動電圧分（ＶBE）の０．６Ｖが降下した電圧（１．６Ｖ）が発生する。従って、ＣＰＵ３はＬＩＮＥ１用の端子に１．６Ｖを受けたときには、走査線数７２０であると判断すればよいことになる。
【００１９】
また、ＬＩＮＥ１の電圧が０Ｖ（走査線数４８０）であるとすると、電圧発生回路４の出力部は０Ｖとなる。従って、ＣＰＵ３はＬＩＮＥ１用の端子に０Ｖを受けたときには、走査線数４８０であると判断すればよいことになる。
【００２０】
このように、Ｄ端子のＬＩＮＥ１に対しオープン状態（ハイインピーダンス状態）で５Ｖより高い電圧のプルアップを行い（ＣＰＵ側での入力レンジが５Ｖまでの場合は５Ｖ以下の電圧に制限）、ＬＩＮＥ１においては４値の制御信号として扱うようにすることで（図２のＬＩＮＥ１参照）、正規のＬＩＮＥ情報に影響を与えず、ＹＣｂＣｒをＤ端子に変換したような制御信号を含まない状態を識別し、それぞれに応じた最適なモード切替を行うことができることになる。すなわち、ＣＰＵ３が４値の制御信号のうち０Ｖ、１．６Ｖ，４．４Ｖの電圧を受けているときには、映像出力側がＤ端子であると判断して制御信号に応じた映像モードでの表示が行なえることになり、ＣＰＵ３は利用者の操作による映像モード変更処理を受け付けないことで、利用者が誤った画面サイズなどで視聴してしまうのを防止することができる。一方、映像出力側がＤ端子ではないと判断したとき、ＣＰＵ３は利用者の操作による映像モード変更処理を受け付けることで、入力映像が４８０ｉの４：３でないのにこのモードに固定されてしまうのを防止できることになる。
【００２１】
上記処理の内容を図３のフローチャートを用いて簡潔に示す。ＣＰＵ３は検出用ＬＩＮＥ１から制御信号を入力し（ステップＳ１）、その電圧が０〜４．４Ｖ以内であれば（ステップＳ２でＹＥＳ）、正規のＤ端子同士の接続であって制御信号は有効であるとして制御信号に応じた映像モードでの表示を行なう（ステップＳ３）。一方、５Ｖであれば（ステップＳ２でＮＯ）、制御信号を無効と判断し、ユーザによる任意の切替を可能とする（ステップＳ４）。
【００２２】
上記の例ではＬＩＮＥ１に電圧発生回路４を設けたが、これに替えてＬＩＮＥ２やＬＩＮＥ３に設けてもよいものである。また、映像信号入力装置１はテレビジョン受信装置には限らず、また、Ｄ端子以外の端子にも適用可能である。
【００２３】
【発明の効果】
以上説明したように、この発明によれば、正規のＬＩＮＥ情報に影響を与えず、例えばＹＣｂＣｒをＤ端子に変換したような制御信号を含まなくなる状態を識別し、それぞれに応じた最適なモード切替を行うことができる。そして、映像出力側がＤ端子でないとき（制御信号を含まなくなる状態のとき）には、利用者の操作による映像モード変更処理を受け付けることで、不適切な画面サイズに固定されたままとなるのを防止でき、Ｄ端子同士で接続されて制御信号が有効な場合には、利用者の操作による映像モード変更処理を受け付けないことで利用者が誤った画面サイズなどで視聴してしまうのを防止することができるという効果を奏する。
【図面の簡単な説明】
【図１】この発明の実施形態の映像信号入力装置と映像信号出力側との接続状態を示した図であって、同図（ａ）は変換ケーブルを用いて接続した場合を示し、同図（ｂ）はＤ端子ケーブルを用いて接続した場合を示している。
【図２】映像信号入力装置のＣＰＵの各ライン用端子への入力電圧と制御情報内容との関係を示した説明図である。
【図３】映像信号入力装置の処理内容を示したフローチャートである。
【図４】従来の映像信号入力装置と映像信号出力側との接続状態を示した図であって、同図（ａ）は変換ケーブルを用いて接続した場合を示し、同図（ｂ）はＤ端子ケーブルを用いて接続した場合を示している。
【図５】従来の映像信号入力装置のＣＰＵの各ライン用端子への入力電圧と制御情報内容との関係を示した説明図である。
【図６】同図（ａ）は変換ケーブルを用いて接続した場合に生じ得る表示映像の不具合を示すと共にユーザによる切替操作で本来の映像表示が行なえる様子を示した説明図であり、同図（ｂ）はＤ端子ケーブルによって本来の映像表示が行なえる様子を示した説明図である。
【図７】Ｄ端子の説明図である。
【符号の説明】
１    映像信号入力装置
２    Ｄ端子
３    ＣＰＵ（信号種別判断部）
４    電圧発生回路
１１  ＹＣｂＣｒ出力端子
１２  変換ケーブル
１３  Ｄ端子
１４  Ｄ端子ケーブル
【図１】
0003663181.tif 000002
【図２】
0003663181.tif 000003
【図３】
0003663181.tif 000004
【図４】
0003663181.tif 000005
【図５】
0003663181.tif 000006
【図６】
0003663181.tif 000007
【図７】
0003663181.tif 000008